(57)【要約】【課題】各ＬＥＤ素子を声帯の振動周波数に同期させて発光させる場合であって、白色光のカラーバランスを維持することができる光源装置、医療用観察システム、照明方法およびプログラムを提供する。【解決手段】光源装置５は、光源制御部５９を備え、光源制御部５９は、ストロボ観察モードへ遷移させる前に、第１の光源部５１、第２の光源部５２および第３の光源部５３に発光させ、第１の光源部５１、第２の光源部５２および第３の光源部５３に所定のパルス幅よりも長いパルス幅のパルス電流を印加している状態において、第１の検出部５５、第２の検出部５６および第３の検出部５７のいずれか一つ１以上が検出した検出結果に基づいて、第１の光源部５１、第２の光源部５２および第３の光源部５３が発光する光の光量の比率が所定の比率となるパルス電流値を設定し、この所定の比率となるパルス電流値を維持しつつストロボ観察モードへ遷移させる。【選択図】図２
2020151091.tif 000002
【特許請求の範囲】
【請求項１】
メモリおよびハードウェアからなる少なくとも１つ以上のプロセッサを備える光源装置であって、
互いに異なる波長帯域を有する光を間欠的に発光可能な複数の光源部と、
前記複数の光源部が発光した前記光の光量を検出する検出部と、
を備え、
前記プロセッサは、
当該光源装置の観察モードを外部から入力された音声の振動周波数に同期させて前記複数の光源部に所定のパルス幅のパルス電流を印加することによって発光させるストロボ観察モードへ遷移させる前に、前記複数の光源部に前記所定のパルス幅よりも長いパルス幅のパルス電流を印加することによって発光させ、
前記複数の光源部に前記所定のパルス幅よりも長いパルス幅のパルス電流を印加している状態において、前記検出部が検出した検出結果に基づいて、前記複数の光源部が発光する前記光の光量の比率が所定の比率となるパルス電流値を前記複数の光源部に設定し、
前記所定の比率となるパルス電流値を維持しつつ前記ストロボ観察モードへ遷移させる、
光源装置。
【請求項２】
請求項１に記載の光源装置であって、
前記プロセッサは、
当該光源装置の観察モードを前記ストロボ観察モードへ遷移させる前に、前記複数の光源部に前記所定のパルス幅よりも長いパルス幅のパルス電流を所定のタイミング毎に前記複数の光源部に印加させ、かつ前記検出部が検出した検出結果に基づいて、前記パルス電流値を前記複数の光源部に設定する、
光源装置。
【請求項３】
請求項１または２に記載の光源装置であって、
前記プロセッサは、
前記パルス幅および前記パルス電流値を所定のタイミング毎に変更可能な他の観察モードから前記ストロボ観察モードへ遷移させる場合、前記他の観察モードから前記複数の光源部に前記所定のパルス幅よりも長いパルス幅のパルス電流を印加する状態に遷移させる、
光源装置。
【請求項４】
請求項１〜３のいずれか一つに記載の光源装置と、
被検体に挿入可能な挿入部の先端部に、撮像信号を生成する撮像装置が配置された内視鏡と、
を備え、
前記光源装置は、前記内視鏡へ前記光を供給する、
医療用観察システム。
【請求項５】
メモリおよびハードウェアからなる少なくとも１つ以上のプロセッサを備える光源装置が実行する照明方法であって、
前記光源装置は、
互いに異なる波長帯域を有する光を間欠的に発光可能な複数の光源部と、
前記複数の光源部が発光した前記光の光量を検出する複数の検出部と、
を備え、
前記プロセッサは、
当該光源装置の観察モードを外部から入力された音声の振動周波数に同期させて前記複数の光源部に所定のパルス幅のパルス電流を印加することによって発光させるストロボ観察モードへ遷移させる前に、前記複数の光源部に前記所定のパルス幅よりも長いパルス幅のパルス電流を印加することによって発光させ、
前記複数の光源部に前記所定のパルス幅よりも長いパルス幅のパルス電流を印加している状態において、前記検出部が検出した検出結果に基づいて、前記複数の光源部が発光する前記光の光量の比率が所定の比率となるパルス電流値を前記複数の光源部に設定し、
前記所定の比率となるパルス電流値を維持しつつ前記ストロボ観察モードへ遷移させる、
照明方法。
【請求項６】
メモリおよびハードウェアからなる少なくとも１つ以上のプロセッサを備える光源装置に実行させるプログラムであって、
前記光源装置は、
互いに異なる波長帯域を有する光を間欠的に発光可能な複数の光源部と、
前記複数の光源部が発光した前記光の光量を検出する複数の検出部と、
を備え、
前記プロセッサは、
当該光源装置の観察モードを外部から入力された音声の振動周波数に同期させて前記複数の光源部に所定のパルス幅のパルス電流を印加することによって発光させるストロボ観察モードへ遷移させる前に、前記複数の光源部に前記所定のパルス幅よりも長いパルス幅のパルス電流を印加することによって発光させ、
前記複数の光源部に前記所定のパルス幅よりも長いパルス幅のパルス電流を印加している状態において、前記検出部が検出した検出結果に基づいて、前記複数の光源部が発光する前記光の光量の比率が所定の比率となるパルス電流値を前記複数の光源部に設定し、
前記所定の比率となるパルス電流値を維持しつつ前記ストロボ観察モードへ遷移させる、
プログラム。
【発明の詳細な説明】
【技術分野】
【０００１】
本開示は、被検体に照明光を照射する光源装置、医療用観察システム、照明方法およびプログラムに関する。
【背景技術】
【０００２】
内視鏡システムでは、白色光を間欠的に発光させて白色光の照明光によって人や動物等の被検体の声帯の観察を行う場合がある。この被検体の声帯の観察を行う内視鏡システムとして、声帯の振動周波数と同期してパルス状の白色光を発光する技術が知られている（例えば特許文献１を参照）。この技術では、撮像部によって生成された画像の明るさを評価した明るさ評価値と、画像中の残像の大きさを評価した残像評価値とに基づいて、白色光のパルス幅を算出し、このパルス幅でパルス光を発光するように光源を制御する。
【先行技術文献】
【特許文献】
【０００３】
【特許文献１】特許第６２４９９０９号公報
【発明の概要】
【発明が解決しようとする課題】
【０００４】
ところで、近年、内視鏡システムでは、赤色、緑色および青色のＬＥＤ（Light  Emitting  Diode）素子の各々を所定の比率の発光量で同時に発光させて合波することによって白色光による被検体の声帯の観察を行っている。
【０００５】
しかしながら、上述した特許文献１のように、赤色、緑色および青色のＬＥＤ素子の各々を声帯の振動周波数に同期させて発光させている場合において、各ＬＥＤ素子の発光時間が短すぎるとき、光量センサがノイズ等によって各ＬＥＤ素子の発光量を正確に検出することができなくなり、赤色、緑色および青色の各々の発光量の比率が崩れることで、白色光のカラーバランスが崩れてしまうという問題点があった。
【０００６】
本開示は、上記に鑑みてなされたものであって、赤色、緑色および青色の各々の光を声帯の振動周波数に同期させて発光させる場合であって、白色光のカラーバランスを維持することができる光源装置、医療用観察システム、照明方法およびプログラムを提供することを目的とする。
【課題を解決するための手段】
【０００７】
上述した課題を解決し、目的を達成するために、本開示に係る光源装置は、メモリおよびハードウェアからなる少なくとも１つ以上のプロセッサを備える光源装置であって、互いに異なる波長帯域を有する光を間欠的に発光可能な複数の光源部と、前記複数の光源部が発光した前記光の光量を検出する検出部と、を備え、前記プロセッサは、当該光源装置の観察モードを外部から入力された音声の振動周波数に同期させて前記複数の光源部に所定のパルス幅のパルス電流を印加することによって発光させるストロボ観察モードへ遷移させる前に、前記複数の光源部に前記所定のパルス幅よりも長いパルス幅のパルス電流を印加することによって発光させ、前記複数の光源部に前記所定のパルス幅よりも長いパルス幅のパルス電流を印加している状態において、前記検出部が検出した検出結果に基づいて、前記複数の光源部が発光する前記光の光量の比率が所定の比率となるパルス電流値を前記複数の光源部に設定し、前記所定の比率となるパルス電流値を維持しつつ前記ストロボ観察モードへ遷移させる。
【０００８】
また、本開示に係る光源装置は、上記開示において、前記プロセッサは、当該光源装置の観察モードを前記ストロボ観察モードへ遷移させる前に、前記複数の光源部に前記所定のパルス幅よりも長いパルス幅のパルス電流を所定のタイミング毎に前記複数の光源部に印加させ、かつ前記検出部が検出した検出結果に基づいて、前記パルス電流値を前記複数の光源部に設定する。
【０００９】
また、本開示に係る光源装置は、上記開示において、前記プロセッサは、前記パルス幅および前記パルス電流値を所定のタイミング毎に変更可能な他の観察モードから前記ストロボ観察モードへ遷移させる場合、前記他の観察モードから前記複数の光源部に前記所定のパルス幅よりも長いパルス幅のパルス電流を印加する状態に遷移させる。
【００１０】
また、本開示に係る医療用観察システムは、上記の光源装置と、被検体に挿入可能な挿入部の先端部に、撮像信号を生成する撮像装置が配置された内視鏡と、を備え、前記光源装置は、前記内視鏡へ前記光を供給する。
【００１１】
また、本開示に係る照明方法は、メモリおよびハードウェアからなる少なくとも１つ以上のプロセッサを備える光源装置が実行する照明方法であって、前記光源装置は、互いに異なる波長帯域を有する光を間欠的に発光可能な複数の光源部と、前記複数の光源部が発光した前記光の光量を検出する複数の検出部と、を備え、前記プロセッサは、当該光源装置の観察モードを外部から入力された音声の振動周波数に同期させて前記複数の光源部に所定のパルス幅のパルス電流を印加することによって発光させるストロボ観察モードへ遷移させる前に、前記複数の光源部に前記所定のパルス幅よりも長いパルス幅のパルス電流を印加することによって発光させ、前記複数の光源部に前記所定のパルス幅よりも長いパルス幅のパルス電流を印加している状態において、前記検出部が検出した検出結果に基づいて、前記複数の光源部が発光する前記光の光量の比率が所定の比率となるパルス電流値を前記複数の光源部に設定し、前記所定の比率となるパルス電流値を維持しつつ前記ストロボ観察モードへ遷移させる。
【００１２】
また、本開示に係るプログラムは、メモリおよびハードウェアからなる少なくとも１つ以上のプロセッサを備える光源装置に実行させるプログラムであって、前記光源装置は、互いに異なる波長帯域を有する光を間欠的に発光可能な複数の光源部と、前記複数の光源部が発光した前記光の光量を検出する複数の検出部と、を備え、前記プロセッサは、当該光源装置の観察モードを外部から入力された音声の振動周波数に同期させて前記複数の光源部に所定のパルス幅のパルス電流を印加することによって発光させるストロボ観察モードへ遷移させる前に、前記複数の光源部に前記所定のパルス幅よりも長いパルス幅のパルス電流を印加することによって発光させ、前記複数の光源部に前記所定のパルス幅よりも長いパルス幅のパルス電流を印加している状態において、前記検出部が検出した検出結果に基づいて、前記複数の光源部が発光する前記光の光量の比率が所定の比率となるパルス電流値を前記複数の光源部に設定し、前記所定の比率となるパルス電流値を維持しつつ前記ストロボ観察モードへ遷移させる。
【発明の効果】
【００１３】
本開示によれば、赤色、緑色および青色の各々の光を声帯の振動周波数に同期させて発光させる場合であって、白色光のカラーバランスを維持することができるという効果を奏する。
【図面の簡単な説明】
【００１４】
【図１】図１は、本開示の一実施の形態に係る内視鏡システムの概略構成を示す模式図である。
【図２】図２は、本開示の一実施の形態に係る内視鏡システムが備える内視鏡、制御装置および光源装置の機能構成を示すブロック図である。
【図３】図３は、本開示の一実施の形態に係る光源装置が実行する処理の概要を示すフローチャートである。
【図４】図４は、本開示の一実施の形態に係る光源制御部がＷＬＩ観察モードにおいて行うカラーバランス調整の概要を模式的に示す図である。
【図５】図５は、本開示の一実施の形態に係る光源制御部がストロボ観察モードに遷移する前にストロボ発光準備状態において行うカラーバランス調整の概要を模式的に示す図である。
【図６】図６は、本開示の一実施の形態に係る光源制御部がストロボ観察モードに遷移した後に行うストロボ発光状態を模式的に示す図である。
【図７】図７は、本開示の一実施の形態に係る光源制御部がＮＢＩ観察モードにおいて行うカラーバランス調整の概要を模式的に示す図である。
【発明を実施するための形態】
【００１５】
以下、本開示を実施するための形態（以下、「実施の形態」という）を図面とともに詳細に説明する。なお、以下の実施の形態により、本開示が限定されるものではない。また、以下の説明において参照する各図は、本開示の内容を理解でき得る程度に形状、大きさ、および位置関係を概略的に示しているに過ぎない。即ち、本開示は、各図で例示された形状、大きさ、および位置関係のみに限定されるものではない。さらに、図面の記載において、同一の部分には同一の符号を付して説明する。さらにまた、本開示に係る医療用観察システムの一例として、内視鏡システムについて説明する。また、図面の記載において、同一の部分には同一の符号を付して説明する。
【００１６】
〔内視鏡システムの構成〕
図１は、一実施の形態に係る内視鏡システムの概略構成を示す模式図である。図１に示す内視鏡システム１は、医療分野に用いられ、人や動物の生体等の被検体の口腔や内部（生体内）に挿入され、内部や声帯を撮像した画像を表示することによって被検体を観察する装置である。なお、一実施の形態では、内視鏡システム１として、軟性内視鏡システムについて説明するが、これに限定されることなく、例えば硬性内視鏡システムであってもよい。
【００１７】
図１に示す内視鏡システム１は、被検体の口腔内に導入され、被検体の声帯や口腔を撮像して被検体内の撮像信号を生成する内視鏡２と、被検体が発した音声が入力される音声入力装置３と、内視鏡２によって生成された撮像信号に対して所定の画像処理を行うとともに内視鏡システム１の各部を制御する制御装置４と、内視鏡２に被検体に出射する照明光を供給する光源装置５と、制御装置４が画像処理を施すことによって生成された画像信号に対応する画像を表示する表示装置６と、を備える。
【００１８】
内視鏡２は、被検体内に挿入される挿入部２１と、挿入部２１の基端部側であって術者が把持する操作部２２と、操作部２２より延伸する可撓性のユニバーサルコード２３と、を備える。
【００１９】
挿入部２１は、照明ファイバ（ライトガイドケーブル）および電気ケーブル等を用いて実現される。挿入部２１は、被検体内を撮像する撮像素子を内蔵した撮像部を有する先端部２１１と、複数の湾曲駒によって構成された湾曲自在な湾曲部２１２と、湾曲部２１２の基端部側に設けられた可撓性を有する可撓管部２１３と、を有する。先端部２１１には、照明レンズを介して被検体内を照明する照明部、被検体内を撮像する観察部、処理具用チャンネルを連通する開口部および送気・送水用ノズル（図示せず）が設けられている。
【００２０】
操作部２２は、湾曲部２１２を上下方向および左右方向に湾曲させる湾曲ノブ２２１と、被検体の体腔内に生体鉗子、レーザメス等の処置具が挿入される処置具挿入部２２２と、制御装置４、光源装置５、送気装置、送水装置および送ガス装置等の周辺機器の操作を行う複数のスイッチ部２２３と、を有する。処置具挿入部２２２から挿入された処置具は、内部に設けられた処置具用チャンネルを経て挿入部２１先端の開口部から表出する。
【００２１】
ユニバーサルコード２３は、照明ファイバおよび電気ケーブル等を用いて構成される。ユニバーサルコード２３は、基端で分岐しており、分岐した一方の分岐コード２３１の端部がコネクタ２３２であり、他方の基端がコネクタ２３３である。コネクタ２３２は、制御装置４に対して着脱自在である。コネクタ２３３は、光源装置５に対して着脱自在である。ユニバーサルコード２３は、光源装置５から出射された照明光を、コネクタ２３２、操作部２２および可撓管部２１３を介して先端部２１１に伝播する。ユニバーサルコード２３は、先端部２１１に設けられた撮像部によって生成された撮像信号を制御装置４に伝送する。
【００２２】
挿入部２１およびユニバーサルコード２３には、光源装置５からの照明光を導光する照明ファイバ２１４（図２参照）が配設されている。照明ファイバ２１４の一端は挿入部２１の先端面に位置し、他端はユニバーサルコード２３の光源装置５との接続面に位置している。
【００２３】
音声入力装置３は、被検体の声帯から発せられた音声が入力される。コード３１は、先端が音声入力装置３と接続し、基端のコネクタ３１１が制御装置４に対して着脱自在である。音声入力装置３は、コード３１およびコネクタ３１１を介して、入力された音声を制御装置４に出力する。音声入力装置３は、マイクロフォン、Ａ／Ｄ変換回路およびゲインアップ回路等を用いて構成される。
【００２４】
制御装置４は、ユニバーサルコード２３を介して内視鏡２から入力された撮像信号に対して所定の画像処理を施して画像信号を生成し、この画像信号を表示装置６へ出力する。制御装置４は、ユニバーサルコード２３を介して内視鏡２の操作部２２におけるスイッチ部２２３から送信された各種の指示信号に基づいて、内視鏡システム１の各部を制御する。
【００２５】
光源装置５は、制御装置４の制御のもと、赤色、緑色および青色の各々の光を同時に発光することによって合波された白色光またはＮＢＩ（Narrow  Band  Imaging）観察や赤外光観察で用いられる特殊光を、コネクタ２３２およびユニバーサルコード２３を介して内視鏡２へ出射する。なお、光源装置５と制御装置４とは、図１に示すように個別で通信する構成をしてもよいし、一体化した構成であってもよい。
【００２６】
表示装置６は、映像ケーブル６１を介して制御装置４から入力された画像信号に対応する画像を表示する。表示装置６は、内視鏡システム１に関する各種情報を表示する。表示装置６は、液晶または有機ＥＬ（Electro  Luminescence）を用いた表示ディスプレイ等を用いて構成される。
【００２７】
〔内視鏡、制御装置および光源装置の詳細な構成〕
次に、内視鏡２、制御装置４および光源装置５の詳細な機能構成について説明する。図２は、内視鏡システム１が備える内視鏡２、制御装置４および光源装置５の機能構成を示すブロック図である。
【００２８】
〔内視鏡の構成〕
まず、内視鏡２の構成について説明する。
内視鏡２は、少なくとも撮像部２４を備える。撮像部２４は、光学系２４１と、撮像素子２４２と、を有する。
【００２９】
光学系２４１は、一または複数のレンズを用いて構成され、撮像素子２４２の受光面に被写体像を結像する。
【００３０】
撮像素子２４２は、光学系２４１が結像した被写体像を受光し、光電変換を行うことによって生成した撮像信号をユニバーサルコード２３の伝送ケーブルおよびコネクタ２３２を介して制御装置４へ出力する。
【００３１】
〔処理装置の構成〕
次に、制御装置４の構成について説明する。
制御装置４は、画像処理部４０１と、メモリ４０２と、入力部４０３と、振動周波数検出部４０４と、出力部４０５と、制御部４０６と、を備える。
【００３２】
画像処理部４０１は、制御部４０６の制御のもと、内視鏡２から入力された撮像信号に対して所定の画像処理を行って画像信号を生成し、この画像信号を表示装置６へ出力する。ここで、所定の画像処理としては、少なくとも、Ａ／Ｄ変換処理、ゲイン調整処理、オプティカルブラック減算処理、ホワイトバランス（ＷＢ）調整処理、撮像素子２４２がベイヤー配列の場合には同時化処理、カラーマトリクス演算処理、ガンマ補正処理、色再現処理およびエッジ強調処理等を含む画像処理である。画像処理部４０１は、メモリと、ＦＰＧＡ（Field  Programmable  Gate  Array）、ＡＳＩＣ（Application  Specific  Integrated  Circuit）およびＧＰＵ（Graphics  Processing  Unit）等のハードウェアを有するプロセッサを用いて構成される。
【００３３】
メモリ４０２は、揮発性メモリ、不揮発性メモリおよびフレームメモリ等を用いて構成される。メモリ４０２は、内視鏡システム１が実行する各種のプログラムや処理中に使用される各種のデータを記憶する。なお、メモリ４０２は、制御装置４に対して装着自在なメモリカード等をさらに備えてもよい。
【００３４】
入力部４０３は、キーボード、マウスおよびタッチパネル等を用いて構成される。入力部４０３は、ユーザの操作による各種情報の入力を受け付ける。
【００３５】
振動周波数検出部４０４は、コード３１およびコネクタ３１１を介して音声入力装置３から入力された音声データの周波数（声帯周波数）を検出し、この検出結果を制御部４０６および光源装置５へ出力する。この音声データは、被検体の声帯から発せられたものである。
【００３６】
出力部４０５は、スピーカ、プリンタおよびディスプレイ等を用いて構成される。出力部４０５は、制御部４０６の制御のもと、内視鏡システム１に関する各種情報を出力する。
【００３７】
制御部４０６は、内視鏡システム１を構成する各部を統括的に制御する。制御部４０６は、メモリおよびＣＰＵ（Central  Processing  Unit）等のハードウェアを有するプロセッサを用いて構成される。
【００３８】
〔光源装置の構成〕
次に、光源装置５の構成について説明する。
光源装置５は、第１の光源部５１と、第２の光源部５２と、第３の光源部５３と、第４の光源部５４と、第１の検出部５５と、第２の検出部５６と、第３の検出部５７と、第４の検出部５８と、光源制御部５９と、を備える。
【００３９】
第１の光源部５１は、光源制御部５９の制御のもと、赤色の波長帯域の光（波長帯域６００ｎｍ〜７００ｎｍ）を発光することによって内視鏡２の照明ファイバ２１４へ供給する。第１の光源部５１は、光源制御部５９から印加されるパルス電流のパルス幅でパルス発光し、かつ、パルス電流値に応じた発光量でパルス発光する。第１の光源部５１は、赤色の光を発光可能な半導体レーザ素子または発光ＬＥＤ（Light  Emitting  Diode）、レンズおよびミラー等を用いて構成される。
【００４０】
第２の光源部５２は、光源制御部５９の制御のもと、緑色の波長帯域の光（波長帯域５００ｎｍ〜６００ｎｍ）を発光することによって内視鏡２の照明ファイバ２１４へ供給する。第２の光源部５２は、光源制御部５９から印加されるパルス電流のパルス幅でパルス発光し、かつ、パルス電流値に応じた発光量でパルス発光する。第２の光源部５２は、緑色の光を発光可能な半導体レーザ素子または発光ＬＥＤ、レンズおよびミラー等を用いて構成される。
【００４１】
第３の光源部５３は、光源制御部５９の制御のもと、青色の波長帯域の光（波長帯域４００ｎｍ〜５００ｎｍ）を発光することによって内視鏡２の照明ファイバ２１４へ供給する。第３の光源部５３は、光源制御部５９から印加されるパルス電流のパルス幅でパルス発光し、かつ、パルス電流値に応じた発光量でパルス発光する。第３の光源部５３は、青色の光を発光可能な半導体レーザ素子または発光ＬＥＤ、レンズおよびミラー等を用いて構成される。
【００４２】
第４の光源部５４は、光源制御部５９の制御のもと、紫色の波長帯域の光（波長帯域３９０ｎｍ〜４２５ｎｍ）を発光することによって内視鏡２の照明ファイバ２１４へ供給する。第４の光源部５４は、光源制御部５９から印加されるパルス電流のパルス幅で発光し、かつ、パルス電流値に応じた発光量でパルス発光する。第４の光源部５４は、紫色の光を発光可能な半導体レーザ素子または発光ＬＥＤ、レンズおよびミラー等を用いて構成される。なお、一実施の形態では、第４の光源部５４が紫色の波長帯域の光を発光しているが、例えば、琥珀色（アンバー）の光を発光するようにしてもよい。もちろん、一実施の形態では、光源装置5が４種類の光を発光可能であるが、色の種類および色数が限定されることなく、例えば赤外光や琥珀色の光を含む６種類の光を発光可能に形成してもよい。
【００４３】
第１の検出部５５は、第１の光源部５１が発光した光を検出可能な位置に配置され、第１の光源部５１が発光した光の強度を検出し、この検出結果を光源制御部５９へ出力する。第１の検出部５５は、フォトダイオード等の光センサを用いて構成される。
【００４４】
第２の検出部５６は、第２の光源部５２が発光した光を検出可能な位置に配置され、第２の光源部５２が発光した光の強度を検出し、この検出結果を光源制御部５９へ出力する。第２の検出部５６は、フォトダイオード等の光センサを用いて構成される。
【００４５】
第３の検出部５７は、第３の光源部５３が発光した光を検出可能な位置に配置され、第３の光源部５３が発光した光の強度を検出し、この検出結果を光源制御部５９へ出力する。第３の検出部５７は、フォトダイオード等の光センサを用いて構成される。
【００４６】
第４の検出部５８は、第４の光源部５４が発光した光を検出可能な位置に配置され、第４の光源部５４が発光した光の強度を検出し、この検出結果を光源制御部５９へ出力する。第４の検出部５８は、フォトダイオード等の光センサを用いて構成される。
【００４７】
光源制御部５９は、メモリと、ＣＰＵおよびＦＰＧＡのハードウェアからなる少なくとも１つ以上のプロセッサを用いて構成される。光源制御部５９は、制御部４０６から入力される制御信号に基づいて、第１の光源部５１、第２の光源部５２および第３の光源部５３の各々にパルス電流値を所定のパルス幅で印加することによって発光させることで、白色光の照明光を内視鏡２の照明ファイバ２１４に向けて出射させる。また、光源制御部５９は、光源装置５の観察モードを制御装置４から入力された音声の周波数周期に同期させて第１の光源部５１、第２の光源部５２および第３の光源部５３に所定のパルス幅のパルス電流を印加することによって発光させるストロボ観察モードへ遷移させる前に、第１の光源部５１、第２の光源部５２および第３の光源部５３に所定のパルス幅よりも長いパルス幅のパルス電流を印加することによって発光させる。そして、光源制御部５９は、第１の光源部５１、第２の光源部５２および第３の光源部５３に所定のパルス幅よりも長いパルス幅のパルス電流を印加している状態において、第１の検出部５５、第２の検出部５６および第３の検出部５７のいずれか１つ以上が検出した検出結果に基づいて、第１の光源部５１、第２の光源部５２および第３の光源部５３が発光する光の光量の比率が所定の比率となるパルス電流値を第１の光源部５１、第２の光源部５２および第３の光源部５３に設定する。続いて、光源制御部５９は、第１の光源部５１、第２の光源部５２および第３の光源部５３が発光する光の光量の比率が所定の比率となるパルス電流値を維持しつつ、第１の光源部５１、第２の光源部５２および第３の光源部５３へ印加するパルス電流のパルス幅を所定のパルス幅に設定することによってストロボ観察モードへ遷移させる。さらに、光源制御部５９は、光源装置５の観察モードをストロボ観察モードへ遷移させる前に、第１の光源部５１、第２の光源部５２および第３の光源部５３に所定のパルス幅よりも長いパルス幅のパルス電流を所定のタイミング毎に第１の光源部５１、第２の光源部５２および第３の光源部５３に印加させ、かつ第１の検出部５５、第２の検出部５６および第３の検出部５７のいずれか１つ以上が検出した検出結果に基づいて、パルス電流値を第１の光源部５１、第２の光源部５２および第３の光源部５３に設定する。また、光源制御部５９は、パルス幅およびパルス電流値を所定のタイミング毎に変更可能な他の観察モードからストロボ観察モードへ遷移させる場合、他の観察モードから第１の光源部５１、第２の光源部５２および第３の光源部５３に所定のパルス幅よりも長いパルス幅のパルス電流を印加する状態に遷移させる。なお、一実施の形態では、光源制御部５９がプロセッサとして機能する。
【００４８】
〔光源装置が実行する処理〕
次に、光源装置５が実行する処理について説明する。図３は、光源装置５が実行する処理の概要を示すフローチャートである。
【００４９】
図３に示すように、まず、光源制御部５９によって内視鏡システム１の観察モードが白色光によって被検体を観察するＷＬＩ（White  Light  Imaging）観察モードであると判断された場合（ステップＳ１０１：Ｙｅｓ）について説明する。この場合、光源制御部５９は、白色光を出射するため、第１の光源部５１、第２の光源部５２および第３の光源部５３の各々が発光する光の光量が所定の比率となるように調整するカラーバランスを調整する（ステップＳ１０２）。
【００５０】
図４は、光源制御部５９がＷＬＩ観察モードにおいて行うカラーバランス調整の概要を模式的に示す図である。図４において、横軸が時間を示し、縦軸が光量を示す。さらに、図４において、上段から（ａ）が第２の光源部５２の光量とパルス幅を示し、（ｂ）が第１の光源部５１の光量とパルス幅を示し、（ｃ）が第３の光源部５３の光量とパルス幅を示す。また、以下においては、第１の光源部５１、第２の光源部５２および第３の光源部５３が発光する光の光量をα、βおよびγとして説明する。
【００５１】
図４に示すように、光源制御部５９は、内視鏡２の撮像素子２４２が撮像信号を生成する１フィード毎（所定のタイミング毎）に、第１の光源部５１、第２の光源部５２および第３の光源部５３が発光させる。この場合、光源制御部５９は、第１の検出部５５、第２の検出部５６および第３の検出部５７の各々の検出結果に基づいて、赤色、緑色および青色の各々の光が合波（合成）されることによって白色光となるように第１の光源部５１、第２の光源部５２および第３の光源部５３を発光させる。具体的には、光源制御部５９は、第１の検出部５５、第２の検出部５６および第３の検出部５７の各々の検出結果に基づいて、第１の光源部５１、第２の光源部５２および第３の光源部５３が発光する光量の比率（α、βおよびγ）が一定の比率となるように第１の光源部５１、第２の光源部５２および第３の光源部５３に印加するパルス電流値およびパルス幅を制御する。
【００５２】
例えば、光源制御部５９は、第１の検出部５５、第２の検出部５６および第３の検出部５７の各々の検出結果に基づいて、第２の光源部５２が発光する緑色の光量に対して、一定の割合で第１の光源部５１および第３の光源部５３に印加するパルス電流値またはパルス幅を変化させることによって赤色、緑色および青色の合波による光が白色光となるようにカラーバランスを調整する。より具体的には、光源制御部５９は、第１の検出部５５、第２の検出部５６および第３の検出部５７の各々の検出結果に基づいて、第１の光源部５１、第２の光源部５２および第３の光源部５３の各々に印加する電流値を調整することによってカラーバランスの調整を行う。この場合において、光源制御部５９は、第１の光源部５１、第２の光源部５２および第３の光源部５３の各々に印加可能な電流値が最低値となる発光量が最低値（ＭＩＮ光量）となったとき、第１の光源部５１、第２の光源部５２および第３の光源部５３の各々に印加するパルス電流のパルス幅を調整するＰＷＭ（Pulse  Width  Modulation）制御を行うことによってカラーバランスの調整を行う。これにより、内視鏡システム１は、ＷＬＩ観察モードを行う場合、第１の光源部５１、第２の光源部５２および第３の光源部５３の各々が発光する光のカラーバランスが調整された状態で被検体を観察することができる。
【００５３】
図３に戻り、ステップＳ１０３以降の説明を続ける。
ステップＳ１０３において、光源制御部５９が第１の検出部５５、第２の検出部５６および第３の検出部５７の各々の検出結果に基づいて、第１の光源部５１、第２の光源部５２および第３の光源部５３の各々が発光する光量のカラーバランスの調整が完了した判断した場合（ステップＳ１０３：Ｙｅｓ）、光源装置５は、後述するステップＳ１０４へ移行する。これに対して、光源制御部５９が第１の検出部５５、第２の検出部５６および第３の検出部５７の各々の検出結果に基づいて、第１の光源部５１、第２の光源部５２および第３の光源部５３の各々が発光する光量のカラーバランスの調整が完了していない場合（ステップＳ１０３：Ｙｅｓ）、光源装置５は、上述したステップＳ１０２へ戻る。
【００５４】
ステップＳ１０４において、光源制御部５９は、制御装置４の入力部４０３または内視鏡２のスイッチ部２２３からＷＬＩ観察モードからストロボ観察モードに切り替える指示信号が入力されたか否かを判断する。光源制御部５９によって制御装置４の入力部４０３からＷＬＩ観察モードからストロボ観察モードに切り替える指示信号が入力されたと判断された場合（ステップＳ１０４：Ｙｅｓ）、光源装置５は、後述するステップＳ１０５へ移行する。これに対して、光源制御部５９によって制御装置４の入力部４０３または内視鏡２のスイッチ部２２３からＷＬＩ観察モードからストロボ観察モードに切り替える指示信号が入力されていないと判断された場合（ステップＳ１０４：Ｎｏ）、光源装置５は、後述するステップＳ１１０へ移行する。
【００５５】
ステップＳ１０５において、光源制御部５９は、第１の光源部５１、第２の光源部５２および第３の光源部５３の各々に印加する電流値およびパルス電流のパルス幅をストロボ発光準備状態に切り替える。
【００５６】
続いて、光源制御部５９は、ストロボ観察モードにおけるカラーバランスの調整を行う（ステップＳ１０６）。ステップＳ１０６の後、光源装置５は、後述するステップＳ１０７へ移行する。
【００５７】
図５は、光源制御部５９がストロボ観察モードに遷移する前にストロボ発光準備状態において行うカラーバランス調整の概要を模式的に示す図である。図５において、横軸が時間を示し、縦軸が光量を示す。さらに、図５において、上段から（ａ）が第２の光源部５２の光量とパルス幅を示し、（ｂ）が第１の光源部５１の光量とパルス幅を示し、（ｃ）が第３の光源部５３の光量とパルス幅を示す。
【００５８】
図５に示すように、光源制御部５９は、内視鏡２の撮像素子２４２が撮像信号を生成する１フィード毎（所定のタイミング毎）に、第１の光源部５１、第２の光源部５２および第３の光源部５３に対して、ＷＬＩ観察モードにおける最大値の光量を超えるオーバドライブ光量（ＭＡＸ光量）となるように電流値を上げて印加する。さらに、光源制御部５９は、第１の光源部５１、第２の光源部５２および第３の光源部５３に対して、後述するストロボ観察モードにおいて印加するパルス電流のパルス幅よりも長いパルス幅（例えば２ｍｓｅｃ程度）でパルス電流を印加する。この場合、光源制御部５９は、第１の検出部５５、第２の検出部５６および第３の検出部５７の各々の検出結果に基づいて、第１の光源部５１、第２の光源部５２および第３の光源部５３が発光する光量の比率（α、βおよびγ）が一定の比率となるように第１の光源部５１、第２の光源部５２および第３の光源部５３に印加する電流値を制御することによってカラーバランスの調整を行い。そして、光源制御部５９は、第１の光源部５１、第２の光源部５２および第３の光源部５３に所定のパルス幅よりも長いパルス幅のパルス電流を印加している状態において、第１の検出部５５、第２の検出部５６および第３の検出部５７のいずれか１つ以上が検出した検出結果に基づいて、第１の光源部５１、第２の光源部５２および第３の光源部５３が発光する光量の比率（α、βおよびγ）が一定の比率となるパルス電流値を第１の光源部５１、第２の光源部５２および第３の光源部５３に設定する。
【００５９】
さらに、図５に示すように、光源制御部５９は、光源装置５の観察モードをストロボ観察モードへ遷移させる前に、第１の光源部５１、第２の光源部５２および第３の光源部５３に所定のパルス幅よりも長いパルス幅のパルス電流を１フィード毎（所定のタイミング毎）に第１の光源部５１、第２の光源部５２および第３の光源部５３に印加させ、かつ第１の検出部５５、第２の検出部５６および第３の検出部５７のいずれか１つ以上が検出した検出結果に基づいて、パルス電流値を第１の光源部５１、第２の光源部５２および第３の光源部５３に設定する。さらに、光源制御部５９は、パルス幅およびパルス電流値を所定のタイミング毎に変更可能なＷＬＩ観察モードからストロボ観察モードへ遷移させる場合、ＷＬＩ観察モードから第１の光源部５１、第２の光源部５２および第３の光源部５３に所定のパルス幅よりも長いパルス幅のパルス電流を印加する状態に遷移させる。
【００６０】
なお、一実施の形態では、光源制御部５９は、第１の光源部５１、第２の光源部５２および第３の光源部５３に所定のパルス幅よりも長いパルス幅のパルス電流を印加している状態において、第１の検出部５５、第２の検出部５６および第３の検出部５７のいずれか１つ以上が検出した検出結果に基づいて、第１の光源部５１、第２の光源部５２および第３の光源部５３が発光する光量の比率（α、βおよびγ）が一定の比率となるパルス電流値を第１の光源部５１、第２の光源部５２および第３の光源部５３に設定しているが、例えば第１の検出部５５、第２の検出部５６および第３の検出部５７の各々の検出結果に基づいて、第１の光源部５１、第２の光源部５２および第３の光源部５３が発光する光量の比率（α、βおよびγ）が一定の比率となるパルス電流値を第１の光源部５１、第２の光源部５２および第３の光源部５３に設定してもよい。
【００６１】
図３に戻り、ステップＳ１０７移行の説明を続ける。
ステップＳ１０７において、光源制御部５９が第１の検出部５５、第２の検出部５６および第３の検出部５７の各々の検出結果に基づいて、第１の光源部５１、第２の光源部５２および第３の光源部５３の各々が発光する光量のカラーバランスの調整が完了した判断した場合（ステップＳ１０７：Ｙｅｓ）、光源装置５は、後述するステップＳ１０８へ移行する。これに対して、光源制御部５９が第１の検出部５５、第２の検出部５６および第３の検出部５７の各々の検出結果に基づいて、第１の光源部５１、第２の光源部５２および第３の光源部５３の各々が発光する光量のカラーバランスの調整が完了していない場合（ステップＳ１０７：Ｙｅｓ）、光源装置５は、上述したステップＳ１０６へ戻る。
【００６２】
ステップＳ１０８において、光源制御部５９は、制御装置４の振動周波数検出部４０４から音声の周波数周期を示す音声信号が入力されたか否かを判断する。光源制御部５９によって制御装置４の振動周波数検出部４０４から音声の周波数周期を示す音声信号が入力されたと判断された場合（ステップＳ１０８：Ｙｅｓ）、光源装置５は、後述するステップＳ１０９へ移行する。これに対して、光源制御部５９によって制御装置４の振動周波数検出部４０４から音声の周波数周期を示す音声信号が入力されていないと判断された場合（ステップＳ１０８：Ｎｏ）、光源装置５は、上述したステップＳ１０６へ戻り、制御装置４の振動周波数検出部４０４から音声の周波数周期を示す音声信号が入力されるまで、ストロボ観察モードにおけるカラーバランスの調整を行う。即ち、光源制御部５９は、制御装置４の振動周波数検出部４０４から音声の周波数周期が入力されるまで、第１の光源部５１、第２の光源部５２および第３の光源部５３を所定のタイミング毎（１フィールド毎）に発光させ、第１の検出部５５、第２の検出部５６および第３の検出部５７が検出した複数回の検出結果に基づいて、第１の光源部５１、第２の光源部５２および第３の光源部５３のパルス電流値を設定する。
【００６３】
ステップＳ１０９において、光源制御部５９は、第１の光源部５１、第２の光源部５２および第３の光源部５３の各々に印加する電流値およびパルス電流のパルス幅をストロボ発光状態に切り替える。ステップＳ１０９の後、光源装置５は、後述するステップＳ１１０へ移行する。
【００６４】
図６は、光源制御部５９がストロボ観察モードに遷移した後に行うストロボ発光状態を模式的に示す図である。図６において、横軸が時間を示し、縦軸が光量を示す。さらに、図６において、上段から（ａ）が第２の光源部５２の光量とパルス幅を示し、（ｂ）が第１の光源部５１の光量とパルス幅を示し、（ｃ）が第３の光源部５３の光量とパルス幅を示し、（ｄ）が声帯の振動周波数を示す。
【００６５】
図６に示すように、光源制御部５９は、上述したステップＳ１０７においてカラーバランスが調整された比率のパルス電流値を維持しつつ、第１の光源部５１、第２の光源部５２および第３の光源部５３の各々へ印加するパルス電流のパルス幅をストロボ発光順次状態のパルス幅より短くすることによって第１の光源部５１、第２の光源部５２および第３の光源部５３の各々を発光させる。この場合、光源制御部５９は、声帯の振動周波数に同期させてカラーバランスが調整された比率のパルス電流値を維持しつつ、第１の光源部５１、第２の光源部５２および第３の光源部５３の各々へパルス電流を印加する。具体的には、光源制御部５９は、第１の光源部５１、第２の光源部５２および第３の光源部５３の各々の発光タイミングを声帯の振動周波数に同期させて発光させる。例えば、光源制御部５９は、光源制御部５９は、第１の光源部５１、第２の光源部５２および第３の光源部５３の各々の発光タイミングを声帯の振動周波数の最大値または最小値のタイミングに同期させて発光させる。これにより、光源装置５は、第１の光源部５１、第２の光源部５２および第３の光源部５３の各々の光の発光期間が短い間であっても、白色光のカラーバランを維持しながら、被検体の声帯に対してストロボ観察を行うことができる。
【００６６】
図３に戻り、ステップＳ１１０以降の説明を続ける。
ステップＳ１１０において、光源制御部５９は、制御装置４の入力部４０３から被検体の観察を終了する指示信号が入力されたか否かを判断する。光源制御部５９によって被検体の観察を終了する指示信号が入力されたと判断された場合（ステップＳ１１０：Ｙｅｓ）、光源装置５は、本処理を終了する。これに対して、光源制御部５９によって被検体の観察を終了する指示信号が入力されていないと判断された場合（ステップＳ１１０：Ｎｏ）、光源装置５は、上述したステップＳ１０１へ戻る。
【００６７】
ステップＳ１０１において、光源制御部５９によって内視鏡システム１がＷＬＩ観察モードでないと判断された場合（ステップＳ１０１：Ｎｏ）について説明する。この場合、光源制御部５９は、制御装置４の入力部４０３または内視鏡２のスイッチ部２２３からＮＢＩ観察モードを指示する指示信号が入力されたか否かを判断する（ステップＳ１１１）。光源制御部５９によって制御装置４の入力部４０３または内視鏡２のスイッチ部２２３からＮＢＩ観察モードを指示する指示信号が入力されたと判断された場合（ステップＳ１１１：Ｙｅｓ）、光源装置５は、後述するステップＳ１１２へ移行する。これに対して、光源制御部５９によって制御装置４の入力部４０３からＮＢＩ観察モードを指示する指示信号が入力されていないと判断された場合（ステップＳ１１１：Ｎｏ）、光源装置５は、ステップＳ１０４へ移行する。
【００６８】
ステップＳ１１２において、光源制御部５９は、ＮＢＩ観察モードにおけるカラーバランス調整を行う。ステップＳ１１２の後、光源装置５は、ステップＳ１１３へ移行する。
【００６９】
図７は、光源制御部５９がＮＢＩ観察モードにおいて行うカラーバランス調整の概要を模式的に示す図である。図７において、横軸が時間を示し、縦軸が光量を示す。さらに、図７において、上段から（ａ）が第４の光源部５４の光量とパルス幅を示し、（ｂ）が第２の光源部５２の光量とパルス幅を示す。また、以下においては、第２の光源部５２および第４の光源部５４が発光する光の光量をσおよびνとして説明する。
【００７０】
図７に示すように、光源制御部５９は、内視鏡２の撮像素子２４２が撮像信号を生成する１フィード毎（１フレーム毎）に、第２の光源部５２および第４の光源部５４が発光させる。この場合、光源制御部５９は、第２の検出部５６および第４の検出部５８の各々の検出結果に基づいて、緑色および紫色の各々の光が合波（合成）されることによってＮＢＩ観察モードにおける狭帯域光（例えば波長帯域３９０ｎｍ〜４４５ｎｍ＋５３０ｎｍ〜５５０ｎｍ）となるように第２の光源部５２および第４の光源部５４を発光させる。具体的には、光源制御部５９は、第２の検出部５６および第４の検出部５８の各々の検出結果に基づいて、第２の光源部５２および第４の光源部５４が発光する光量の比率（σおよびν）が一定の比率となるように第２の光源部５２および第４の光源部５４に印加するパルス電流値およびパルス幅を制御する。この場合において、光源制御部５９は、第２の光源部５２および第４の光源部５４の各々に印加可能な電流値が最低値となる発光量が最低値（ＭＩＮ光量）となったとき、第２の光源部５２および第４の光源部５４の各々に印加するパルス電流のパルス幅を調整するＰＷＭ制御を行うことによって狭帯域光のカラーバランスの調整を行う。これにより、内視鏡システム１は、ＮＢＩ観察モードを行う場合、第２の光源部５２および第４の光源部５４の各々が発光する光のカラーバランスが調整された狭帯域光で被検体を観察することができる。
【００７１】
ステップＳ１１３において、光源制御部５９が第１の検出部５５、第２の検出部５６、第３の検出部５７および第４の検出部５８の各々の検出結果に基づいて、第１の光源部５１、第２の光源部５２、第３の光源部５３および第４の光源部５４の各々が発光する光量のカラーバランスの調整が完了した判断した場合（ステップＳ１１３：Ｙｅｓ）、光源装置５は、後述するステップＳ１０４へ移行する。これに対して、光源制御部５９が第１の検出部５５、第２の検出部５６、第３の検出部５７および第４の検出部５８の各々の検出結果に基づいて、第１の光源部５１、第２の光源部５２、第３の光源部５３および第４の光源部５４の各々が発光する光量のカラーバランスの調整が完了していない場合（ステップＳ１１３：Ｙｅｓ）、光源装置５は、上述したステップＳ１１２へ戻る。
【００７２】
以上説明した一実施の形態によれば、光源制御部５９が光源装置５の観察モードを制御装置４から入力された音声の周波数周期に同期させて第１の光源部５１、第２の光源部５２および第３の光源部５３に所定のパルス幅のパルス電流を印加することによって発光させるストロボ観察モードへ遷移させる前に、第１の光源部５１、第２の光源部５２および第３の光源部５３に所定のパルス幅よりも長いパルス幅のパルス電流を印加することによって発光させ、第１の光源部５１、第２の光源部５２および第３の光源部５３に所定のパルス幅よりも長いパルス幅のパルス電流を印加している状態において、第１の検出部５５、第２の検出部５６および第３の検出部５７のいずれか１つ以上が検出した検出結果に基づいて、第１の光源部５１、第２の光源部５２および第３の光源部５３が発光する光の光量の比率が所定の比率となるパルス電流値を第１の光源部５１、第２の光源部５２および第３の光源部５３に設定し、所定の比率となるパルス電流値を維持しつつ光源装置５の観察モードをストロボ観察モードへ遷移させるので、白色光のカラーバランスを維持することができる。
【００７３】
また、一実施の形態によれば、光源制御部５９が光源装置５の観察モードをストロボ観察モードへ遷移させる前に、第１の光源部５１、第２の光源部５２および第３の光源部５３に所定のパルス幅よりも長いパルス幅のパルス電流を所定のタイミング毎に第１の光源部５１、第２の光源部５２および第３の光源部５３に印加させ、かつ第１の検出部５５、第２の検出部５６および第３の検出部５７のいずれか１つ以上が検出した検出結果に基づいて、パルス電流値を第１の光源部５１、第２の光源部５２および第３の光源部５３に設定するので、所定の比率となるパルス電流値を維持しつつ光源装置５の観察モードをストロボ観察モードへ遷移させるので、白色光のカラーバランスを維持することができる。
【００７４】
また、一実施の形態によれば、光源制御部５９がパルス幅およびパルス電流値を所定のタイミング毎に変更可能な他のＷＬＩ観察モードからストロボ観察モードへ遷移させる場合、ＷＬＩ観察モードから第１の光源部５１、第２の光源部５２および第３の光源部５３に所定のパルス幅よりも長いパルス幅のパルス電流を印加する状態に遷移させるので、所定の比率となるパルス電流値を維持しつつ光源装置５の観察モードをストロボ観察モードへ遷移させるので、白色光のカラーバランスを維持することができる。
【００７５】
また、一実施の形態によれば、光源制御部５９が光源装置５の観察モードをストロボ観察モードへ遷移させる場合、制御装置４から音声の周波数周期が入力されるまで、第１の光源部５１、第２の光源部５２および第３の光源部５３を所定のタイミング毎に発光させ、第１の検出部５５、第２の検出部５６および第３の検出部５７が検出した複数回の検出結果に基づいて、第１の光源部５１、第２の光源部５２および第３の光源部５３のパルス電流値を設定するので、より精度が高いカラーバランスを維持した状態で被検体の声帯の観察を行うことができる。
【００７６】
また、一実施の形態によれば、光源制御部５９が光源装置５の観察モードをストロボ観察モードからＷＬＩ観察モードまたはＮＢＩ観察モードへ遷移させる場合、若しくはＷＬＩ観察モードまたはＮＢＩ観察モードからストロボ観察モードへ遷移させる場合、第１の光源部５１、第２の光源部５２、第３の光源部５３および第４の光源部５４にパルス電流を印加させることによって発光させ、第１の検出部５５、第２の検出部５６、第３の検出部５７および第４の検出部５８が検出した検出結果に基づいて、第１の光源部５１、第２の光源部５２、第３の光源部５３および第４の光源部５４のパルス電流値を設定するので、各観察モード時におけるカラーバランスを維持しながら被検体の観察を行うことができる。
【００７７】
なお、一実施の形態では、光源制御部５９が光源装置５の観察モードをストロボ観察モードからＷＬＩ観察モードまたはＮＢＩ観察モードへ遷移させる場合、若しくはＷＬＩ観察モードまたはＮＢＩ観察モードからストロボ観察モードへ遷移させる場合について説明したが、例えばＮＢＩ観察モード時に出射する狭帯域光によってストロボ観察を行ってもよい。この場合、光源制御部５９は、ＷＬＩ観察モードからストロボ観察モードへ遷移する際に行うストロボ発光状態と同様の状態に切り替える。具体的には、光源制御部５９は、制御装置４から入力された音声の周波数周期に同期させて第２の光源部５２および第４の光源部５４に所定のパルス幅のパルス電流を印加することによって発光させる狭帯域光によるストロボ観察モードへ遷移させる前に、第２の光源部５２および第４の光源部５４に所定のパルス幅よりも長いパルス幅のパルス電流を印加することによって発光させ、第２の光源部５２および第４の光源部５４に所定のパルス幅よりも長いパルス幅のパルス電流を印加している状態において、第２の検出部５６および第４の検出部５８のいずれか１つ以上が検出した検出結果に基づいて、第２の光源部５２および第４の光源部５４が発光する光の光量の比率が所定の比率となるパルス電流値を第２の光源部５２および第４の光源部５４に設定し、所定の比率となるパルス電流値を維持しつつ光源装置５の観察モードを狭帯域光によるストロボ観察モードへ遷移させるので、狭帯域光のカラーバランスを維持することができる。さらに、光源制御部５９は、ＷＬＩ観察モードから狭帯域光によるストロボ観察モードへ遷移させる場合、上述した狭帯域光によるストロボ発光準備状態を行った後に、狭帯域光によるストロボ観察モードに遷移させる。もちろん、光源制御部５９は、ＮＢＩ観察モードから狭帯域光によるストロボ観察モードへ遷移させる場合、上述した狭帯域光によるストロボ発光準備状態を行った後に、狭帯域光によるストロボ観察モードに遷移させる。これにより、所定の比率となるパルス電流値を維持しつつ光源装置５の観察モードを狭帯域光によるストロボ観察モードへ遷移させるので、狭帯域光のカラーバランスを維持することができる。
【００７８】
また、上述した本開示の一実施の形態に係る内視鏡システムに開示されている複数の構成要素を適宜組み合わせることによって、種々の発明を形成することができる。例えば、上述した本開示の一実施の形態に係る内視鏡システムに記載した全構成要素からいくつかの構成要素を削除してもよい。さらに、上述した本開示の一実施の形態に係る内視鏡システムで説明した構成要素を適宜組み合わせてもよい。
【００７９】
また、本開示の一実施の形態に係る内視鏡システムでは、上述してきた「部」は、「手段」や「回路」などに読み替えることができる。例えば、制御部は、制御手段や制御回路に読み替えることができる。
【００８０】
また、本開示の一実施の形態に係る内視鏡システムに実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【００８１】
また、本開示の一実施の形態に係る内視鏡システムに実行させるプログラムは、インターネット等のネットワークに接続されたコンピュータ上に格納し、ネットワーク経由でダウンロードさせることにより提供するように構成してもよい。
【００８２】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。
【００８３】
以上、本願の実施の形態のいくつかを図面に基づいて詳細に説明したが、これらは例示であり、本発明の開示の欄に記載の態様を始めとして、当業者の知識に基づいて種々の変形、改良を施した他の形態で本発明を実施することが可能である。
【符号の説明】
【００８４】
１  内視鏡システム
２  内視鏡
３  音声入力装置
４  制御装置
５  光源装置
６  表示装置
２１  挿入部
２２  操作部
２３  ユニバーサルコード
２４  撮像部
３１  コード
５１  第１の光源部
５２  第２の光源部
５３  第３の光源部
５４  第４の光源部
５５  第１の検出部
５６  第２の検出部
５７  第３の検出部
５８  第４の検出部
５９  光源制御部
６１  映像ケーブル
２２３  スイッチ部
２４１  光学系
２４２  撮像素子
３１１  コネクタ
４０１  画像処理部
４０２  メモリ
４０３  入力部
４０４  振動周波数検出部
４０５  出力部
４０６  制御部
【図１】
2020151091.tif 000003
【図２】
2020151091.tif 000004
【図３】
2020151091.tif 000005
【図４】
2020151091.tif 000006
【図５】
2020151091.tif 000007
【図６】
2020151091.tif 000008
【図７】
2020151091.tif 000009